(57)【特許請求の範囲】
【請求項１】
開き扉に取り付けられる戸当り本体と床に取り付けられる受部を具備し、上記戸当り本体には下端が該戸当り本体の下方に突出する係止軸と該係止軸の下端が上方に押されたとき該係止軸を交互に引上げ位置と下端が該引上げ位置より下方に存する突出位置に変位させる繰出し機構が設けられ、上記受部には扉を開放方向へ移動させた際上記係止軸の下端が当接して該係止軸を上方に押圧するよう傾斜する作用面と、引上げ位置にある上記係止軸の下端は係合しないが突出位置にある上記係止軸の下端は係合するよう突出する係止段部が設けられていることを特徴とする戸当り。
【請求項２】
上記戸当り本体には扉の開放方向に緩衝ばねで付勢された緩衝部材が設けられ、上記受部には上記係止軸の下端が上記作用面に当接するとき該緩衝部材が当接するよう緩衝壁が設けられていることを特徴とする請求項１に記載の戸当り。
【請求項３】
上記戸当り本体には下方に突出するストッパーが形成され、上記受部には上記係止軸の下端が上記作用面に当接する方向に扉を移動させたときその移動範囲を規制するよう上記ストッパーが当接するストッパー壁が設けられていることを特徴とする請求項１または２に記載の戸当り。
【請求項４】
上記繰出し機構は、戸当り本体の受孔の内面に形成され略山形状の正面カムを上部に有し該正面カム間に上下方向に延びるクラッチ溝を有する外カムと、上記受孔内に挿入される上記係止軸に形成され上記クラッチ溝に上下動可能に係合する摺動突起を外周に有し略山形状の正面カムを上部に有する押圧カムと、上記受孔内に挿入され上記外カムおよび押圧カムの正面カムに係合可能な略山形状の正面カムを下部に有し上記クラッチ溝に嵌入脱出可能な外周突起を外周に有する回転可能なクラッチ片を具備し、上記係止軸は上記クラッチ片の外周突起が上記クラッチ溝から脱出しているときその下端が上記引上げ位置に存し該クラッチ片の外周突起が上記クラッチ溝に嵌入したときその下端が突出位置に存するよう上記クラッチ片に上下動可能に垂下されている請求項１から３のいずれかに記載の戸当り。
【請求項５】
上記クラッチ片はばねで下方に付勢されている請求項４に記載の戸当り。
【請求項６】
上記請求項１から５のいずれかに記載の戸当りを使用した扉の開閉装置。
【発明の詳細な説明】
【技術分野】
【０００１】
本発明は、開き扉を不用意に開いたり、扉が風に煽られて急に開いて扉や取手が壁に衝突したとき、該壁、扉、取手等が損傷しないようにする戸当りに関するものである。
【背景技術】
【０００２】
市場では各種の戸当りが提供されているが、近年、従来の戸当りよりもっと使い勝手のよいものが要望されている。戸当りは、不用意に開いたり、風に煽られて急に開いたとき壁、扉、取手等が損傷しないよう扉が壁に衝突する手前で扉に当って衝撃を吸収したり、扉の開放位置で扉に掛け金を係止してその位置に維持することができるよう通常は床や壁に設けられている。しかし、従来のものは、床や壁に取り付けた部材が床等から突出しているので、つまずいたり、ぶつかって怪我するおそれがあり、掃除の邪魔になったり、戸当りの掛け金を掛けたりはずしたりする際に屈まなければならなかった。そこで、つまずいたり、掃除の障害にならず、扉の開閉操作だけで扉の係止や解除ができるようにした装置がのぞまれ、そのような装置も提案されている（例えば、特許文献１、２参照）。しかし、従来提案されている装置として、例えば特許文献１に記載されているような装置は、床に設けられる受部材に可動機構を組み込んだ構成であるので、塵埃等が可動部に詰まって誤動作を起こすおそれがある。また、特許文献２に記載されているような装置は受部材に可動機構が設けられていないが、扉の係止を外す際扉側に設けたケースを手或いは足で押すか、つまみを手で操作しなければならないので、面倒である。
【特許文献１】特開２００４−１３１９９７号公報（請求項１、図１、図９〜図１２）
【特許文献２】特開２００５−３４４３１５号公報（段落０００７、００１１、００１３、００１６、図５、図１０〜図１２）
【発明の開示】
【発明が解決しようとする課題】
【０００３】
本発明の解決課題は、床面から受部が大きく突出せず、かつ受部には可動機構がなく、また扉の開閉操作だけで、扉を開放位置に保持したり、扉の保持を解放したりすることができるようにした戸当りを提供することである。
【課題を解決するための手段】
【０００４】
本発明によれば、開き扉に取り付けられる戸当り本体と床に取り付けられる受部を具備し、上記戸当り本体には下端が該戸当り本体の下方に突出する係止軸と該係止軸の下端が上方に押されたとき該係止軸を交互に引上げ位置と下端が該引上げ位置より下方に存する突出位置に変位させる繰出し機構が設けられ、上記受部には扉を開放方向へ移動させた際上記係止軸の下端が当接して該係止軸を上方に押圧するよう傾斜する作用面と、引上げ位置にある上記係止軸の下端は係合しないが突出位置にある上記係止軸の下端は係合するよう突出する係止段部が設けられていることを特徴とする戸当りが提供され、上記課題が解決される。
【０００５】
また、本発明によれば、上記戸当り本体には扉の開放方向に緩衝ばねで付勢された緩衝部材が設けられ、上記受部には上記係止軸の下端が上記作用面に当接するとき該緩衝部材が当接するよう緩衝壁が設けられ、さらに上記戸当り本体には下方に突出するストッパーが形成され、上記受部には上記係止軸の下端が上記作用面に当接する方向に扉を移動させたときその移動範囲を規制するよう上記ストッパーが当接するストッパー壁が設けられている上記戸当りが提供され、上記課題が解決される。
【０００６】
なお、本発明において、好ましくは、上記繰出し機構として、戸当り本体の受孔の内面に形成され略山形状の正面カムを上部に有し該正面カム間に上下方向に延びるクラッチ溝を有する外カムと、上記受孔内に挿入される上記係止軸に形成され上記クラッチ溝に上下動可能に係合する摺動突起を外周に有し略山形状の正面カムを上部に有する押圧カムと、上記受孔内に挿入され上記外カムおよび押圧カムの正面カムに係合可能な略山形状の正面カムを下部に有し上記クラッチ溝に嵌入脱出可能な外周突起を外周に有する回転可能なクラッチ片を具備し、上記係止軸は上記クラッチ片の外周突起が上記クラッチ溝から脱出しているときその下端が上記引上げ位置に存し該クラッチ片の外周突起が上記クラッチ溝に嵌入したときその下端が突出位置に存するよう上記クラッチ片に上下動可能に垂下されている上記戸当りが提供され、上記課題が解決される。
【発明の効果】
【０００７】
本発明は、上記のように構成され、開き扉に取り付けられる戸当り本体と床に取り付けられる受部を具備し、上記戸当り本体には下端が該戸当り本体の下方に突出する係止軸と該係止軸の下端が上方に押されたとき該係止軸を交互に引上げ位置と下端が該引上げ位置より下方に存する突出位置に変位させる繰出し機構を設け、上記受部には扉を開放方向へ移動させた際上記係止軸の下端が当接して該係止軸を上方に押圧するよう傾斜する作用面と、引上げ位置にある上記係止軸の下端は係合しないが突出位置にある上記係止軸の下端は係合するよう突出する係止段部を設けたから、扉を開く際、上記係止軸の下端は引上げ位置にあって上記受部の係止段部にはぶつからずに該受部に入り込み扉を開放位置に移動させることができる。そして、上記作用面に係止軸の下端が当ると、上記係止軸は上方に押圧され、繰出し機構の作用により引込み位置から突出位置に移動するから、該係止軸の下端は上記係止段部に係合し、扉を開放位置に維持することができる。扉を閉鎖しようとする場合、該扉を再び開放方向に移動させ、上記作用面に上記係止軸の下端を当接させると、上記繰出し機構の作用で上記係止軸は引上げ位置に復帰し、扉を閉鎖方向に移動させても上記係止段部に上記下端が当らなくなるから、扉を支障なく閉鎖することができる。このように、上記受部には可動機構がなく、全体を薄く作ることができるので、ごみが詰まって故障したり、足や掃除道具がぶつかるおそれがない。
【０００８】
また、上記戸当り本体に扉の開放方向に緩衝ばねで付勢された緩衝部材を設け、上記受部に上記係止軸の下端が上記作用面に当接するとき該緩衝部材が当接するよう緩衝壁を設けると、上記のように作用面に係止軸の下端が当接するときの衝撃が緩和され、また、緩衝ばねが伸張することにより扉が閉鎖方向に付勢されるから、扉の操作が容易である。さらに上記戸当り本体に下方に突出するストッパーを形成し、上記受部に上記係止軸の下端が上記作用面に当接する方向に扉を移動させたときその移動範囲を規制するよう上記ストッパーが当接するストッパー壁を設ければ、上記のように作用面に係止軸の下端を当接させるとき扉や取手が壁にぶつかるというような誤動作を生じるおそれがない。なお、繰出し機構として外カム、押圧カムおよび回転可能なクラッチ片を具備する機構を用いれば、動作が確実で、安定した動作を期待することができる。
【発明を実施するための最良の形態】
【０００９】
図１、図２は、扉開閉装置の一例を示し、開き扉１は吊元側枠２の上部、下部に設けたヒンジ３により該側枠２に回動自在に吊込まれ、戸先側の中間部には取手４が有り、下部には戸当り本体５が設けられている。そして、扉１や取手４が建て屋の壁６に衝突しないよう床７には開放位置の扉の上記戸当り本体５の下方に対応する位置に受部８が設けられている。
【００１０】
上記戸当り本体５は、上記扉に取り付けるための取付孔９を両側に有し、ほぼ中間部に形成した筒状部１０に受孔１１が形成され、該受孔１１に係止軸１２を挿入し、該係止軸１２の下端１３を上記戸当り本体５の下方に突出させている。そして、該戸当り本体５内には、上記係止軸１２の下端１３が上方に押される毎に、該係止軸の下端１３を、上方に引き上げた引上げ位置と、上記引上げ位置より下方に位置させた突出位置に交互に変位させる繰出し機構が設けられている。このように、引上げ位置においても上記係止軸１２の下端１３は上記戸当り本体５より下方に突出しているが、その突出量は上記突出位置における突出量よりも少なく、突出位置では引込み位置より長く下方に突出する。
【００１１】
上記繰出し機構としては、公知の種々の機構を採用することができ、実施例においてはノック式ボールペンの回転カム式繰出し機構を応用した繰出し機構を採用している。すなわち、図７〜図１０に示すように、戸当り本体５の受孔１１の内面には、外カム１４が一体的に形成されている。該外カム１４は、一方に傾斜した斜面を有する略山形状の正面カム１５を上部に有し、該正面カム１５間に上下方向に延び少なくとも後記するように引込み位置と突出位置間の距離に相当する深さを有するクラッチ溝１６を具備している。上記係止軸１２の上端には押圧カム１７が一体的に形成されている。この押圧カム１７は、上記クラッチ溝１６に上下動可能に係合する摺動突起１８を外周に有し、略山形状の正面カム１９を上部に有する。また、上記受孔１１内に回転可能に挿入されるクラッチ片２０は、上記外カム１４および押圧カム１７の正面カム１５，１９に係合可能な一方に傾斜する略山形状の正面カム２１を下部に有し、かつ上記クラッチ溝１６に嵌入脱出可能な外周突起２２を外周に有し、ばね２３で下方に付勢され、該ばね２３の上部にはスプリングピン２４で戸当り本体に固定された蓋２５が設けられている。さらに、上記係止軸１２は、上記クラッチ片２０の外周突起２２が上記クラッチ溝１６から脱出しているときその下端１３が上記引上げ位置に存し該クラッチ片２０の外周突起２２が上記クラッチ溝１６に嵌入したとき該下端１３が突出位置に存するようカムのストローク長さに余裕を持たせた範囲で上下動可能に上記クラッチ片２０に遊嵌した軸２６により垂下されている。
【００１２】
上記構成により上記クラッチ片２０の外周突起２２が外カム１４の正面カム１５に係合しているとき、上記軸２６によりクラッチ片に垂下されている係止軸１２は引上げ位置にあり、該係止軸１２の下端１３は戸当り本体５の下方から少し突出し、押圧カム１７の摺動突起１８はクラッチ溝１６の中間高さに位置している（図１１参照）。そして、係止軸１２の下端１３が上方に押されると、該係止軸に設けた押圧カム１７の上方に形成した正面カム１９がクラッチ片２０の正面カム２１に係合しつつ該クラッチ片は押上げられ、該クラッチ片２０は該正面カムの傾斜により回転し（図１２参照）、外周突起２２は外カム１４のクラッチ溝１６に対向した位置に移動する。そして、係止軸１２の押圧を止めると、ばね２３により若しくは自重によりクラッチ片２０は降下し、該外周突起２２はクラッチ溝１６に入り込み、該クラッチ溝１６に係合している上記押圧カム１７の摺動突起１８を下方に押圧し、該摺動突起１８がクラッチ溝１６の底に当る位置まで該押圧カム１７、すなわち係止軸１２を降下させ（図１３参照）、該係止軸１２の下端１３は上記引上げ位置の突出量より多く下方に突出して、突出位置に移動する。  
【００１３】
この状態から、再び上記係止軸１２の下端１３が上方に押圧されると、上記押圧カム１７の摺動突起１８によりクラッチ片２０は外周突起２２がクラッチ溝１６から脱出する位置まで押し上げられ、回転可能な状態になるとともに押圧カム１７とクラッチ片２０の正面カム１９、２１が係合するから、該クラッチ片２０は上記外周突起２２が外カム１４の正面カム１５に対向する位置まで回転する。そして、係止軸１２の押圧を止めるとクラッチ片２０はばね２３で付勢されているので、降下して正面カム２１が外カム１４の正面カム１５に係合した状態で外カム上に着座する。このとき、上記係止軸１２は該クラッチ片２０に軸２６で垂下されているから、下端１３が上方に引上げられ引上げ位置に移動している。以下、同様にして上記係止軸１２の下端１３が押圧される毎に、該係止軸１２は引上げ位置と突出位置に交互に変位する。なお、上記回転カム式繰出し機構に変えて、プッシュ操作により交互に出没する公知の繰出し機構等を応用した適宜の装置を用いてもよい。
【００１４】
また、上記戸当り本体５の筒状部１０の下端の一側には緩衝部材２７が設けられている。図５を参照し、該緩衝部材２７は下部が下方に突出する状態で戸当り本体５に形成した収納孔２８内に摺動可能に挿入され、緩衝ばね２９で扉の開放方向に付勢され、該収納孔２８の開口端には蓋３０が設けられている。さらに、上記筒状部１０の下端の他側には下方に突出するストッパー３１が設けられている。これらの緩衝部材２７およびストッパー３１は扉１を開放位置に向けて移動するとき、上記戸当り本体５に設けた上記係止軸１２の下端１３と床７に設けた受部８との関係で後記するように作用する。
【００１５】
上記受部８は、床７にねじ等で固定できるよう取付孔３２を有する全体が薄い板状の略円板状に形成され、その上面には上記扉１を開放方向に移動させたとき、上記係止軸１２の下端１３が当接して該係止軸１２を上方に押圧するよう傾斜する作用面３３が設けられている。また、該作用面３３の傾斜端側の底部に続いて引上げ位置にある上記係止軸１２の下端１３は係合しないが突出位置にある該係止軸１２の下端１３は係合するよう上方に突出する係止段部３４が設けられている。さらに、上記作用面３３の一方側には上記係止軸１２の下端１３が作用面３３に当接するときの衝撃を和らげるよう上記緩衝部材２７が当接する緩衝壁３５が設けられ、他方側には上記作用面３３に係止軸１２の下端１３を当接しながら扉１を開放方向に移動させるとき該扉１の移動範囲を規制するよう上記ストッパー３１が当接するストッパー壁３６が設けられている。
【００１６】
以下図１４、図１５を参照し、上記戸当りの作用を説明する。図１４、図１５において、Ａは戸当り本体５に設けたストッパー３１と受部８のストッパー壁３６の関係、Ｂは緩衝部材２７と緩衝壁３５の関係、Ｃは係止軸１２の下端１３と作用面３３および係止段部３４の関係を示す。扉を閉鎖しているとき、上記係止軸１２の下端１３は引上げ位置にあり、その状態から扉１を開いていくと、上記受部８に戸当り本体５が対向する位置まで進行した状態では、Ａ−１、Ｂ−１、Ｃ−１に示すようにストッパー３１、緩衝部材２７および引込み位置にある係止軸１２の移動を制限するものはなく、扉を支障なく開くことができる。
【００１７】
次に、Ｂ−２に示すように、緩衝部材２７が受部８の緩衝壁３５にあたる位置まで移動すると、衝撃が緩和されつつ、Ｃ−２及びＣ−３に示すように係止軸１２の下端１３が作用面３３に当たり始める。このとき、上記ストッパー３１は、Ａ−２、Ａ−３に示すようにストパー壁３６に当っていない。さらに扉１が開放方向に移動すると、Ａ−４、Ｂ−４、Ｃ−４に示すように上記係止軸１２の下端１３は作用面３３により上方に押し込まれ、緩衝部材２７の緩衝ばね２９は圧縮され、ストッパー３１はストッパー壁３６にあたって扉１の移動は制限される。扉の開放方向への移動が停止すると、圧縮されていた上記緩衝ばね２９が伸張することにより扉は閉鎖方向に少し戻され（Ｂ−５）、ストッパー３１はストッパー壁３６から離れる（Ａ−５）。このとき、上記係止軸１２の下端１３は上方への押圧力が解放されるから、引込み位置からそれより下方の突出位置に移動し、Ｃ−５に示すように係止段部３４に係合して扉１を開放状態に保持する。
【００１８】
図１５は扉１を閉鎖する場合の説明図で、上記図１４のＡ−５、Ｂ−５、Ｃ−５に示す開放状態からさらに扉を開放方向に押すと、Ａ−６、Ｂ−６、Ｃ−６に示すように係止軸１２の下端１３が上記作用面３３に当って上方に押圧されるとともに緩衝部材２７が緩衝壁３５に当って緩衝ばね２９が圧縮され、ストッパー３１がストッパー壁３６に当って扉の移動が制限される。そして、扉の移動と止めると、上記圧縮されていた緩衝ばね２９により扉は閉鎖方向へ少し戻され（Ｂ−７）、ストッパー３１はストッパー壁３６から離れる（Ａ−７）。このとき、上記係止軸１２の下端１３は上方への押圧力が解放されるから、突出位置からそれより上方の引込み位置に移動し、Ｃ−７に示すように係止段部３４に係合しない高さまで上昇する。したがって、その後はＡ−８、Ｂ−８、Ｃ−８およびＡ−９、Ｂ−９、Ｃ−９に示すように扉を閉鎖方向に移動させても、該係止段部３４に引っかかることがなく、扉を閉鎖方向に移動することができる。Ａ−９、Ｂ−９、Ｃ−９に示す状態は上記Ａ−１、Ｂ−１、Ｃ−１に示す状態と同じ状態であるから、以下同様にして扉を開閉して開放位置で自動的に緩衝と扉の掛け止を行い、かつ扉を操作するだけで掛け止を外して扉を閉鎖位置に移動させることができる。
【図面の簡単な説明】
【００１９】
【図１】扉開閉装置の一実施例を示し、扉を平面からみた説明図。
【図２】扉の正面図。
【図３】戸当り本体と受部の斜視図。
【図４】係止軸部分の断面図。
【図５】緩衝部材部分の断面図。
【図６】背面図。
【図７】係止軸等を除いた戸当り本体の断面図。
【図８】外カム部分の説明図。
【図９】係止軸を示し、Ａは平面図、Ｂは正面図、Ｃは底面図。
【図１０】クラッチ片を示し、Ａは平面図、Ｂは正面図、Ｃは底面図、Ｄは断面図。
【図１１】カムの関係を示し、係止軸が引上げ位置にあるときの説明図。
【図１２】係止軸が引上げ位置から上方に押上げられたときのカムの説明図。
【図１３】係止軸が突出位置に繰出されたときのカムの説明図。
【図１４】扉を開くときの説明図。
【図１５】扉を閉じるときの説明図。
【符号の説明】
【００２０】
１    扉
５    戸当り本体
８    受部
１２  係止軸
１３  係止軸の下端
１４  外カム
１７  押圧カム
２０  クラッチ片
２７  緩衝部材
２９  緩衝ばね
３１  ストッパー
３３  作用面
３４  係止断部
３５  緩衝壁
３６  ストッパー壁
【図１】
0005096935.tif 000002
【図２】
0005096935.tif 000003
【図３】
0005096935.tif 000004
【図４】
0005096935.tif 000005
【図５】
0005096935.tif 000006
【図６】
0005096935.tif 000007
【図７】
0005096935.tif 000008
【図８】
0005096935.tif 000009
【図９】
0005096935.tif 000010
【図１０】
0005096935.tif 000011
【図１１】
0005096935.tif 000012
【図１２】
0005096935.tif 000013
【図１３】
0005096935.tif 000014
【図１４】
0005096935.tif 000015
【図１５】
0005096935.tif 000016